(57)【要約】  本発明は、コリメータ（６）を自動調節する方法および装置に関する。この場合、身体内部の目的の領域（９）は、第１のＸ線画像の分析から、用途に固有の方法で求められ、それから、コリメータ（６）はそれで調節される。目的の領域（９）は、特に、鼓動および／または呼吸の結果として生じる目的の器官（１０）のすべての位置をカバーするために、放射場にとって十分大きくなるように選択することができる。好ましくは、もし必要ならコリメータ（６）を再調節することができるために、現在の検査の間に動きの評価が行われる。もし目的の領域に集中することができなければ、コリメータ（６）は標準調節に開かれる。
2007500032.tif 000002
【特許請求の範囲】
【請求項１】
身体のイメージを生成するＸ線装置であって、
ａ）Ｘ線源と、
ｂ）Ｘ線ビームを制限し、局所的に減衰させ、および／または、フィルタリングする自動調節コリメータと、
ｃ）Ｘ線検出器と、
ｄ）前記コリメータおよび前記Ｘ線検出器に結合され、前記Ｘ線検出器によって伝えられる、前記身体の少なくとも１つの第１のＸ線画像上で、前記身体内の目的の領域に集中し、次のＸ線画像が前記目的の領域上に集中するように前記コリメータを調節するようになっているデータ処理ユニットとを有するＸ線装置。
【請求項２】
前記目的の領域上に調節された前記コリメータの放射場は、器官または器官の一部によって定められることを特徴とする、請求項１に記載のＸ線装置。
【請求項３】
前記目的の領域は、前記身体の周期的な動きの間、身体構造のありうる位置をカバーすることを特徴とする、請求項１に記載のＸ線装置。
【請求項４】
前記データ処理ユニットは、前記身体の周期的な動きの異なる相から、複数の第１のＸ線画像にもとづいて、前記目的の領域を求めるようになっていることを特徴とする、請求項３に記載のＸ線装置。
【請求項５】
前記第１のＸ線画像は、管系内のコントラストエージェントを示し、前記データ処理ユニットは、前記第１のＸ線画像上の前記コントラストエージェントの検出から、前記管の方向を求めるようになっていることを特徴とする、請求項１に記載のＸ線装置。
【請求項６】
前記身体の目的の領域の動きを検出する手段を有し、前記データ処理ユニットは、前記目的の領域への集中がそのままになるように、前記コリメータの調節を再調節するようになっていることを特徴とする、請求項１に記載のＸ線装置。
【請求項７】
前記データ処理ユニットは、次のＸ線画像のイメージ分析から、前記目的の領域の動きを評価するようになっていることを特徴とする、請求項６に記載のＸ線装置。
【請求項８】
前記データ処理ユニットは、前記目的の領域に集中できないまたはもはや十分な確かさで集中できない場合、前記コリメータを指定された標準調節に移すようになっていることを特徴とする、請求項１に記載のＸ線装置。
【請求項９】
前記第１のＸ線画像から前記目的の領域への３次元集中を行うようになっており、前記データ処理ユニットは、次のＸ線画像が取られている間、記録方向の変化のごとに、前記コリメータを再調整するようにもなっていることを特徴とする、請求項１に記載のＸ線装置。
【請求項１０】
身体のＸ線画像を生成する方法であって、
少なくとも前記身体の第１のＸ線画像を生成するステップと、
前記第１のＸ画像上の前記身体内部の目的の領域に集中するステップと、
次のＸ線画像が前記目的の領域上に集中されるようにコリメータを自動調節するステップとを有する方法。
【発明の詳細な説明】
【技術分野】
【０００１】
本発明は、身体のイメージを生成し、自動調節コリメータを有するＸ線装置に関する。また、本発明は、コリメータの自動調節を用いて身体のＸ線画像を生成する方法に関する。
【背景技術】
【０００２】
医療Ｘ線画像を記録するＸ線装置は、概して、非透明なクロージャ部分および半透明なダイアフラムウエッジを有するコリメータを有し、コリメータを調節することにより、目的である患者の身体の一部にのみ望ましい放射強度で放射されるようにＸ線ビームを整形できる。また、コリメータは通常、望むようにビームのスペクトルを変えるために、フィルタ素子を有する。コリメータを使用する最も重要な利点は、画質の改善、患者への放射ダメージ（例えば皮膚ダメージ）のリスクの減少、イメージ記録の間スタッフが晒される散乱放射の減少にある。この場合、放射暴露の減少は、特に、よく行われるＸ線蛍光観察によって診断および治療のインターベンションが長引いてしまう点において重要である。
【０００３】
コリメータは、現在主に助手によって手で調節されている。しかしながら、これは、比較的面倒であるばかりではなく、実際の活動からも離れている。したがって、コリメータの調節が頻繁に実行されることはなく、これに対応して、画質および放射暴露に関し欠点が生じる。
【０００４】
ＵＳ６０５５２５９は、減衰されていない直接放射からＸ線検出器を保護するための、コリメータの自動調節を提案している。この場合、予備のＸ線画像がインターベンションの開始時に生成され、そこでは、直接放射された検出器ゾーンが、患者の身体によって影を付けられたゾーンから自動的に区別される。コリメータは、身体によって影を付けられていないゾーンが次のＸ線画像で見えなくなるように調節される。この方法は、特に、患者の足の画像に向けられている。なぜなら、この場合、イメージされた身体の一部は比較的狭く、検出器の多くのゾーンは直接放射に晒されるからである。しかしながら、例えば心臓インターベンションのような他の医療用途の場合、このような方法は役に立たない。なぜなら、この場合、Ｘ線画像は全く直接放射のゾーンを含まないからである。
【発明の開示】
【発明が解決しようとする課題】
【０００５】
このような背景に鑑み、本発明の目的は、Ｘ線装置のコリメータの調節可能性の単純化された利用のための手段を提供することにある。
【課題を解決するための手段】
【０００６】
この目的は、請求項１の特徴を有するＸ線装置と、請求項１０の特徴を有する方法によって達成される。従属請求項は、有利な構成を含む。
【０００７】
本発明のＸ線装置は、（生物学的）身体のイメージを生成するのに役立ち、次の部分を有する。
ａ）  Ｘ線ビームを生成するＸ線源。
ｂ）  Ｘ線放射に対して透明ではないおよび／または半透明なダイヤフラム素子および／またはフィルタ素子を有する自動調節コリメータ。ダイアフラム素子により、Ｘ線源を放れたＸ線ビームをその形に制限することができ、および／または、局所的に減衰させることができる。フィルタ素子により、Ｘ線ビームのスペクトルを変えることができる。
ｃ）  Ｘ線ビームのパス上に配置されるＸ線検出器。それに到達するＸ線放射の量を位置分解で測定することができ、この場合、イメージされる身体は、Ｘ線源とＸ線検出器の間に配置される。
ｄ）  コリメータおよびにＸ線検出器に結合され、以下の２つのステップを実行することになっているデータ処理ユニット。
【０００８】
−Ｘ線検出器によって透過される身体の１つまたは複数のＸ線画像を、Ｘ線が照射される身体内部の目的の領域に集中させる。これらのＸ線画像もまた、以下で、それと関連する生成の瞬間に関連して、制限なしに、「第１のＸ線画像」として差分の目的で説明される。概して、目的の領域（ＲＯＩ）は、特定の基礎アプリケーションによってあらかじめ求められる。特に、それは器官または器官の一部によって、例えば、心臓インターベンションの場合、冠状動脈の一部によって定めることができる。この領域は、イメージ分析の公知の方法を用いて、半自動または全自動でＸ線画像上に集中させることができる。半自動の場合、ユーザは、例えば、目的の管部分の開始および終了のような付加的な情報項目を繰り返し与える。
【０００９】
−生成された「次の」Ｘ線画像が目的の領域に集中されるようにコリメータを調節する。Ｘ線画像の目的の領域への「集中」の正確な方法は、用途に応じて、または、ユーザーの詳細に応じてさまざまな方法で行ってもよい。概して、集中は、目的の領域のありうる最適な表示と、目的の領域に属しないすべての身体の領域を排除することを含んでいる。この場合、これらの２つの両極の間の転移は、典型的には、ウェッジ形、半透明のダイアフラム素子により平坦にされる。これにより、残った情報は、減少した放射線暴露で、この領域で検出可能なままである。
【００１０】
説明したようなＸ線装置は、目的の領域を表示するために、コリメータの全自動または少なくとも大部分は自動の調節を行う利点がある。この領域は、用途および患者にもとづいて定められ、指定される。すなわち、例えば、大動脈のインターベンションは、冠状動脈のインターベンションのそれとは大きさおよび形がことなる目的の領域にもとづいている。また、目的の領域は、固有の身体領域、例えば、身体の器官または器官の一部であることが重要である。したがって、イメージング方法は、患者の分析に有利に向けられており、例えば、機器のようなものには向けられていない。
【００１１】
本発明の好ましい構成によれば、目的の領域は、例えば器官のような観測される身体構造のすべての位置が、コリメータの調節の後に生じる放射場でカバーされるように定められる。多くの用途の場合、目的の器官の位置は、鼓動および／または呼吸のような身体の動きの結果として、実際に周期的に変動する。しかしながら、Ｘ線画像上の身体構造の十分良いカバー範囲を確認するために、他方、コリメータのコンスタントな再調節を避けるために、イメージング領域に現れる器官のすべての位置に対して、はじめに目的の領域は十分大きく選択される。
【００１２】
例えば器官のような観察される身体構造から、例えばそれが所定の幅の円周領域とともに身体構造をカバーする点において、上述したタイプの目的の領域を指定することができる。しかしながら、好ましくは、データ処理ユニットは、周期的な動きのいろいろな相から得られた複数の第１のＸ線画像にもとづいて、対応して広く定められた目的の領域を求めるようになっている。すなわち、観察される身体構造の位置は、いつも複数のＸ線画像に集中され、目的の領域は、調節されるコリメータが放射場によって求められるすべての位置およびその周りの付加的な（小さい）安全な境界をカバーするように特定される。
【００１３】
すでに説明したように、目的の領域は、管の一部であってもよい。この場合、第１のＸ線画像は、それが管系の目的の部分の中に以前に注入されたコントラスト媒質を表示するようになっているのが好ましい。また、データ処理ユニットは、同時にコントラスト媒質の検出から第１のＸ線画像における前記部分において管パターンを求めるようになっている。特に、データ処理ユニットは、これに関し、複数のＸ線画像からコントラスト媒質の注入の前の時間についての変化を求めることができ、これを管パターンを求めるために用いることができる。
【００１４】
他の実施態様によれば、Ｘ線装置は、身体の目的の領域の動きの定性的および定量的カバーのための手段を有し、この場合、動きは、例えば、診察台の患者を動かすことによって、または、診察台を動かすことによって、生成してもよい。この場合、動きは、Ｘ線装置のイメージングパートに対して定められ、例えば、Ｘ線源および／またはＸ線検出器の位置の変化は、目的の領域の動きとしても検出される。また、このＸ線装置の構成では、データ処理ユニットは、イメージングが目的の領域に集中し続けるように、すなわち、目的の領域の動きが生成されたＸ線画像において補償されているように、コリメータの調整を再調整するようになっている。これにより、どんな動きにもかかわらず、最小の放射線暴露で目的の検査領域はいつもイメージされる。
【００１５】
動きを検出する手段は、特に、患者が横になる診察台の変位を検出するセンサを含んでもよい。また、それらはＸ線画像パラメータ（放射源およびＸ線検出器の位置、角度、間隔、モードなど）のログを収集するセンサを有してもよい。
【００１６】
上述したＸ線装置の好ましい実施態様では、データ処理ユニットは、「次の」Ｘ線画像のイメージ分析から目的の領域の動きを評価するようになっている。すなわち、評価の間に生成されるＸ線画像は、動きが目的の領域に生じたかを常に検査する。ひとたびこのような動きが検出され、その程度が求められると、データ処理ユニットは、コリメータの適切な調節によってそれに対応し、目的の領域はイメージング領域にあり続けることができる。好ましくは、この手続きは、センサによって境界条件の変化を求める上記手段（患者表、Ｘ線装置など）と組み合わされる。
【００１７】
第１のＸ線画像上に目的の領域を局在させること、および／または、次のＸ線画像の評価（例えば、動き評価のため）により、実際にはいつも不確かさにさらされる結果を生じる。例えば、不十分な画質は目的の器官の正確な局在を不可能にする。このため、データ処理ユニットは、目的の領域はスタートから十分な確かさで局在できない場合、または、方法の処理でもはや十分に局在できない場合、特定の標準点にコリメータを移動するような方法で設計されるのが好ましい。コリメータの標準的な調節は、関連する用途についてのユーザの必要性に応じて特定される。特に、すべての事象におけるＸ線画像において目的の領域のカバーを確認するために、コリメータは最大限に開かれていてもよい。
【００１８】
本発明の他の実施態様によれば、Ｘ線装置は、第１のＸ線画像から目的の（３次元）領域の３次元局在化を行うようになっている。このために、Ｘ線装置は、典型的に、さまざまな投射方向から身体の写真を生成する回転Ｘ線装置として設計される。さまざまな投射方向から、目的の領域を含む観察フィールドは３次元的に再構成される。この場合、データ処理ユニットは、次の（２次元）Ｘ線画像の間、画像方向を変えるごとにコリメータを再調整するようにもなっている。目的の領域の３次元局在化によって、例えば、Ｘ線装置の傾きを補償することが可能になる。
【００１９】
また、本発明は、以下のステップを有する、身体のＸ線画像を生成する方法に関する。
ａ）  身体の少なくとも１つの第１のＸ線画像を生成。
ｂ）  第１のＸ線写真の身体内部の目的の領域の局在化。
ｃ）  次のＸ線画像が目的の領域に集中するように、コリメータを自動調整する。
【００２０】
一般的に、本発明の方法は、上述したタイプのＸ線装置を用いて実行することができるステップを有する。したがって、本発明の方法の詳細、利点、実施態様に関するＸ線装置の上記説明が参照される。
【００２１】
本発明のこれらおよび他の態様は、以下で説明する実施形態から明らかになり、以下で参照する実施形態を参照してあきらかになる。
【発明を実施するための最良の形態】
【００２２】
図１は、本発明によるＸ線装置の部分を概略的に示している。
【００２３】
患者５の身体のＸ線画像を生成するために、Ｘ線装置は、生成器によって印加されるＸ線電圧によってＸ線放射を生成するＸ線チューブを有するＸ線放射源７と、患者５の身体によって透過されるＸ線放射を位置分解して測定するＸ線検出器４とを有する。また、Ｘ線検出器４は、個々のイメージセンサの読み取りを行うための画像取得ユニット１に結合されている。Ｘ線装置の制御と、取得された（ディジタル化された）Ｘ線イメージの処理とは、この目的のために画像取得ユニット１とＸ線放射源７とに結合されているデータ処理ユニット２によって影響を受ける。さらに、データ処理ユニット２は、システムコンソール８と、取得されるＸ線画像を表示する表示ユニット３に結合され、ユーザは、システムコンソール８を介して、コマンドを入力し、読み取り処理を制御することができる。
【００２４】
また、Ｘ線装置はコリメータ６を有し、コリメータ６の図は、例として、Ｘ線ビームに介在する２つのクロージャ部分とフィルタとを示している。さらに、コリメータは、Ｘ線チューブによって生成される放射の円錐放射ビームのみを透過させるアイリスを有するいわゆる主ビームフィルタ（不図示）と、ビームフィルタとも含む。コリメータにおけるビームフィルタは、放射の質を制御したり、患者の服用量を減らすためにしばしば用いられる。
【００２５】
コリメータ６は、同様に、データ処理ユニット２に結合され、データ処理ユニット２は、コリメータ６のフィルタ素子やダイアフラム素子を望ましい位置に調整するためのコマンドを送信することができる。このコマンドは、適切な自動ポジショニングシステムによって実行される。
【００２６】
図では、コリメータ６の最大開状態から生じるＸ線円錐の境界が破線によって示されている。しかしながら、たいていの検査の場合、身体の非常に小さい領域のみ、例えば、概略的に示された管１０の部分が対象である。患者やスタッフの放射線暴露を最小化し、画質を改善するために、Ｘ線ビームは、それが目的の身体の領域のみをほぼカバーするように、コリメータ６によって制限するのが好都合である。下記で説明する用途に固有の方法は、コリメータ６のさまざまな形のダイアフラムやフィルタユニットが患者５の分析に適するように自動的に調節される点において、コリメータ６の手動調整に関して医者を安心させることに向けられている。
【００２７】
この場合、第１のステップで、目的の器官１０またはその一部は、データ処理ユニット２において、Ｘ線装置によって生成された「第１の」Ｘ線画像上で、完全に自動的にまたは半自動的にセグメントされる。このセグメンテーション結果を用いれば、下記でＲＯＩとして参照される用途に固有の「目的の領域」が指定される。そして、データ処理ユニット２は、ダイアフラムとフィルタ素子が、Ｘ線ビームの指定されたＲＯＩ（モニター３によって示されているイメージ上の参照番号９）への制限にしたがって調節されるように、コリメータ６を駆動する。
【００２８】
特に、心臓インターベンションの場合、ＲＯＩの指定は、自発的な動きにもかかわらず、目的の器官（部分）１０がいつもイメージ内にとどまるのを確かめるために、心臓サイクルおよび／または呼吸サイクルの間の動きを評価することを含むことができる。また、コリメータ６の初期調節の後、動きは連続的に検出し、評価することができる。その結果、コリメータ６は、（鼓動および／または呼吸以外の）動きのたびに再調節することができる。コリメータ６の調節ができない場合、例えば、Ｘ線装置の投射方向が変化したので、コリメータ６は、ＲＯＩのカバー範囲を確認するために、標準調節に開かれるのが好ましい。
【００２９】
上記で一般的に説明した方法は、大動脈瘤の処置の例を用いてより詳細にこれから説明する。このような処置では、カテーテルに取り付けられたステントが、管系の中に動脈瘤のところまで導入される。ステントが離されると、それは開き、新しい、より安定な血流チャネルを生成することによって、大動脈を増強する。他方、動脈瘤は循環から孤立する。このようなインターベンションの典型的な特徴は、
１．  大動脈の形によって目的のＲＯＩの領域を明確に定義できる。
２．  概して患者の動きはほとんどない。
３．  診察台の動きは概して大動脈の軸に沿ってのみ生じる。
４．  前後方向に病変のイメージングをし、その間の投射角度はインターベンションの間通常は変わらない。
【００３０】
本発明の第１のステップでは、大動脈と関連する管部分は、典型的にはインターベンションの最初で取得されるアンギオグラフィック画像列からセグメントされる。この場合、ある画像特性（例えば、引き算の画像が含まれるかどうか、シーケンスが管系を流れるコントラストエージェントの固まりを示しているかどうかをチェックする）の分析によって、シーケンスがＲＯＩの自動セグメンテーションに適切かどうかを決めることができる。かわりに、システムは、医者が最後のシーケンスが臨床的に関連する領域をまさに選択するとき、「ＲＯＩイメージング」プロトコルをまさに活性化させるように設計することができる。
【００３１】
この一般的な分類ステップの後、単一のイメージが利用できるアンギオグラフィックシーケンスから求められ、このイメージは、次のセグメンテーションステップのマスタとして機能する。イメージがイメージ分析方法によって選択されるか、最小イメージがアンギオグラフィックシーケンスのすべてのイメージまたはそれらの選択から計算される。臨床的に関連するＲＯＩは、この個々のイメージによって自動的にセグメントすることができる。この場合、分析モデルは、一方で、大動脈と関連する管との間を区別するのに役立つかもしれないし、他方で、大動脈とより小さい管との間を区別するのに役立つかもしれない。
【００３２】
目的の領域ＲＯＩは、例えば、セグメンテーション結果を含む輪郭によって定められる。コリメータ６のダイアフラムおよびフィルタ素子は、目的の領域が今イメージされるように調節することができる。目的の領域ＲＯＩの決定およびコリメータの調節は、コントラストエージェントの流入量を検出することによって完全に自動的に実行することができる。
【００３３】
次のインターベンションの間、対応する目的の領域を含む、初期に記録されたアンギオグラフィックシーケンスのイメージは、通常、現在のイメージによって登録される。典型的には、イメージングは、インターベンションの間、低服用量蛍光透視鏡（ＬＤＦ）モードにおいて、一般的にコントラストエージェントの投与を必要とせずに実行される。存在してもよいＸ線に不透明な機器以外では、背景情報（例えば脊椎、組織）のみが現在の画像に現れる。しかしながら、従来技術では、さまざまな登録方法および類似の測定方法が知られ、これを用いて、登録はイメージ内の差にもとづいて、高速にかつ確実に可能になる（Ｔ．Ｍ．Ｂｕｚｕｇ，  Ｊ．Ｗｅｅｓｅ：  “Ｉｍａｇｅ  ｒｅｇｉｓｔｒａｔｉｏｎ  ｆｏｒ  ＤＳＡ  ｑｕａｌｉｔｙ  ｅｎｈａｎｃｅｍｅｎｔ”，  Ｃｏｍｐｕｔ．  Ｍｅｄ．  Ｉｍａｇ．  Ｇｒａｐｈ．  １９９８，  ２２，  １０３；  Ｔ．Ｍ．Ｂｕｚｕｇ，  Ｊ．Ｗｅｅｓｅ：  “Ｖｏｘｅｌ−ｂａｓｅｄ  ｓｉｍｉｌａｒｉｔｙ  ｍｅａｓｕｒｅｓ  ｆｏｒ  ｍｅｄｉｃａｌ  ｉｍａｇｅ  ｒｅｇｉｓｔｒａｔｉｏｎ  ｉｎ  ｒａｄｉｏｌｏｇｉｃａｌ  ｄｉａｇｎｏｓｉｓ  ａｎｄ  ｉｍａｇｅ  ｇｕｉｄｅｄ  ｓｕｒｇｅｒｙ”，  Ｊ．  Ｃｏｍｐｕｔ．  Ｉｎｆ．  Ｔｅｃｈ．  １９９８，  ６（２），  １６５）を参照）。
【００３４】
また、動き検出および評価は、動き（テーブルの傾き、患者の動きなど）の発生ごとにコリメータ６を調節するために実行しなければならない。この動作では、例えば、投射方向、診察台の位置、ＩＩモードのようなイメージングシステムの情報項目とパラメータは、より信頼できる結果を得るために用いることができる。もし動きが非常に大きく、指定されたＲＯＩが現在のイメージに集中できない場合、コリメータのダイアフラムとフィルタ素子は、イメージングを確認し、この方法をできるだけ強力、自動化、高信頼性にするために、視界から取り除かれる。
【００３５】
さらに、最適な質のためのイメージ均一化処理が、減衰されたイメージ領域と減衰されていないイメージ領域との間の明るさの差を補正するために用いることができる（Ｓ．Ｒｕｄｉｎ，  Ｄ．Ｒ．Ｂｅｄｎａｒｉｋ，  Ｃ．−Ｙ．Ｙａｎｇ：  “Ｒｅａｌ−ｔｉｍｅ  ｅｑｕａｌｉｚａｔｉｏｎ  ｏｆ  ｒｅｇｉｏｎ−ｏｆ−ｉｎｔｅｒｅｓｔ  ｆｌｕｏｒｏｓｃｏｐｉｃ  ｉｍａｇｅｓ  ｕｓｉｎｇ  ｂｉｎａｒｙ  ｍａｓｋｓ”，  Ｍｅｄｉｃａｌ  Ｐｈｙｓｉｃｓ  ２６：（７），  １３５９−１３６４，  １９９９；  Ｎ．Ｒｏｂｅｒｔ，  Ｐ．Ｔ．Ｋｏｍｌｊｅｎｏｖｉｃ，  Ｊ．Ａ．Ｒｏｗｌａｎｄｓ：  “Ａ  ｆｉｌｔｅｒｉｎｇ  ｍｅｔｈｏｄ  ｆｏｒ  ｓｉｇｎａｌ  ｅｑｕａｌｉｚａｔｉｏｎ  ｉｎ  ｒｅｇｉｏｎ−ｏｆ−ｉｎｔｅｒｅｓｔ  ｆｌｕｏｒｏｓｃｏｐｙ”，  Ｍｅｄｉｃａｌ  Ｐｈｙｓｉｃｓ  ２９：（５），  ７３６−７４７，  ２００２）。ノイズフィルタリングを、ダイアフラム／フィルタによってカバーされるイメージ領域のノイズを減らすために実行することができる。
【００３６】
上記でかなり詳細に説明した方法のステップは、他の用途のために適切な方法で修正することができる。この場合、データ処理ユニット２のソフトウェアで実行されるさまざまな処理の間の選択は、インターベンションの開始時にユーザによってなすことができる。例えば、冠状動脈の狭窄部の処置（ＰＴＣＡ：経皮的経管的冠状動脈形成術）では、完全に自動的に目的の冠状血管のセグメントを特定することは不可能である。したがって、繰り返し行う中間ステップでは、心臓医はアンギオグラフィックイメージ上の目的の管セグメントの開始点と終了点を表示してもよい。管セグメントの自動セグメンテーションは、例えば、前方伝達および管フィルタにもとづく方法を用いて行ってもよい（Ｓ．Ｙｏｕｎｇ，  Ｖ．Ｐｅｋａｒ，  Ｊ．Ｗｅｅｓｅ：  “Ｖｅｓｓｅｌ  ｓｅｇｍｅｎｔａｔｉｏｎ  ｆｏｒ  ｖｉｓｕａｌｉｚａｔｉｏｎ  ｏｆ  ＭＲＡ  ｗｉｔｈ  ｂｌｏｏｄｐｏｏｌ  ｃｏｎｔｒａｓｔ  ａｇｅｎｔ”，  Ｍｅｄｉｃａｌ  Ｉｍａｇｅ  Ｃｏｍｐｕｔｉｎｇ  ａｎｄ  Ｃｏｍｐｕｔｅｒ  Ａｓｓｉｓｔｅｄ  Ｉｎｔｅｒｖｅｎｔｉｏｎｓ  （ＭＩＣＣＡＡＩ２００１），  Ｗ．Ｊ．Ｎｉｅｓｓｅｎ，  Ｍ．Ａ．Ｖｉｅｒｇｅｖｅｒ，  ｅｄｓ．；  Ｌｅｃｔｕｒｅ  Ｎｏｔｅｓ  ｉｎ  Ｃｏｍｐｕｔｅｒ  Ｓｃｉｅｎｃｅ  ２２０８，  ２００１）。
【００３７】
また、このような用途では、鼓動およぼ呼吸の関数として常にコリメータ６のフィルタ素子を調節するのは望ましくない。このため、目的の領域は、生じるすべての鼓動および呼吸の相の間、目的の管セグメントをカバーするように、関連するコリメータの調節にとって十分大きく定められる。同様に、コリメータ調節を変えるための動き評価および補償の間には、鼓動および呼吸を考慮に入れなければならない。
【００３８】
もしデータが３次元Ｘ線アンギオグラフィから利用できるならば、目的の器官は３次元的に定められ、セグメントされるのが好ましい。このような３次元データによって、コリメータ６は、もし投射方向が次のＸ線画像の間に変わるならば、再調節することもできる。
【００３９】
説明したシステムの拡張された自動化は、目的の領域へのイメージング制限の利点を実際に用いることもできることを保証する。これによって、放射線暴露は患者とスタッフにとって最小化することができる。目的の領域における画質は、抹消における散乱放射が減少する結果として増大する。したがって、管、ステントのようなものを妨げるらせんまたはワイヤメッシュの可視性を改善することができ、投薬量は、詳細のコンスタントな可視性により減らすことができる。前方散乱だけではなく、後方散乱も減るので、医療スタッフに対する放射線暴露は減る。
【図面の簡単な説明】
【００４０】
【図１】本発明によるＸ線装置の部分を概略的に示している。
【図１】
2007500032.tif 000003
【国際調査報告】
2007500032.tif 000004
2007500032.tif 000005
2007500032.tif 000006